(57)【要約】【課題】気体と液体とを効率良く撹拌混合すると共に、この気体と液体との混合物を液体中の遠方まで届くようにすることにより、気体の液体への効率の良い溶け込みを達成すると共に、この溶け込みを液体の広い範囲で達成する。【解決手段】上端部に気体を導入させ、液体中に下端を開放した撹拌筒２０と、撹拌筒２０に同軸芯状に組付けられ、下端を突出させた高速回転駆動される回転軸１９と、回転軸１９の下端に固定され、本体円板２４の上面に撹拌羽根片２５と、下面に放散羽根片２６とを突設した羽根車２３と、羽根車２３を、本体部分の筒壁部の内周面と、本体円板２４の外周縁との間に隙間を形成させて、回転自在に収納組付けしてポンプ機能部を構成し、撹拌筒２０の下端に固定され、下面に液導入口を開設すると共に、横方向に放出口を開口したケーシング体Ｋとから構成し、気体と液体との混合物を、液流に乗せて勢い良く放出する。【選択図】　　　　　　　図１
2004073953.tif 000002
【特許請求の範囲】
【請求項１】
上端部に気体を導入させ、液体中に下端を開放した直線筒状の撹拌筒（２０）と、該撹拌筒（２０）内に同軸心状に組付けられ、下端を前記撹拌筒（２０）内から突出させた、高速回転駆動される回転軸（１９）と、該回転軸（１９）の下端に固定され、平円板状の本体円板（２４）の上面に多数の撹拌羽根片（２５）と、下面に多数の放散羽根片（２６）とを、突設した羽根車（２３）と、該羽根車（２３）を、本体部分の筒壁部の内周面と、前記本体円板（２４）の外周縁との間に隙間を形成させて、回転自在に収納組付けしてポンプ機能部を構成し、前記撹拌筒（２０）の下端に連通状態で固定され、下面中央に液導入口を開設すると共に、横方向に放出口を開口させたケーシング体（Ｋ）と、から成る液体と気体との撹拌混合装置。
【請求項２】
羽根車（２３）の撹拌羽根片（２５）と放散羽根片（２６）とを、渦巻羽根状とした請求項１記載の液体と気体との撹拌混合装置。
【請求項３】
撹拌筒（２０）の下端に位置する回転軸（１９）の下端部箇所に、前記撹拌筒（２０）内の流体を下方に送る複数の羽根片（３８）を有する撹拌羽根（３６）を取付けた請求項１または２記載の液体と気体との撹拌混合装置。
【請求項４】
装置の取付けベースとなるベース板（１０）上に、回転駆動源であるモータ（１）を倒立姿勢で固定し、前記ベース板（１０）を突き抜けて垂直に延出した前記モータ（１）のモータ軸（４）を回転軸（１９）とした請求項１、２または３記載の液体と気体との撹拌混合装置。
【請求項５】
ケーシング体（Ｋ）を、短円筒状の筒壁の上端に、開口縁に撹拌筒（２０）の下端が嵌合する嵌合段部（３２）を形成した、内鍔状の頂壁を連設した本体部（２８）の前記筒壁に、接線方向に突出した一つの放出口筒（２９）を設けた第１ケーシング（２７）と、該第１ケーシング（２７）の下面開放部を塞いで組付き、中央に液導入口（３４）を開設した第１案内板（３３）と、から構成した請求項１、２、３または４記載の液体と気体との撹拌混合装置。
【請求項６】
ケーシング体（Ｋ）を、中央に撹拌筒（２０）の下端が嵌合する段付き中央孔（４８）を開設した取付け板（４７）と、短円筒状の筒壁の上端に、前記取付け板（４７）の段付き中央孔（４８）に嵌入する、内鍔状の頂壁部（４３）を連設した本体部（４２）の前記筒壁に、接線方向に突出した一つの放出口筒（４５）を設けた第２ケーシング（４１）と、該第２ケーシング（４１）の下面開放部を塞いで組付き、中央に液導入口（３４）を開設した第１案内板（３３）と、から構成した請求項１、２、３または４記載の液体と気体との撹拌混合装置。
【請求項７】
ケーシング体（Ｋ）を、中央の開口縁に撹拌筒（２０）の下端が嵌合する嵌合段部（５６）を設けた天板（５２）の下面に、軸対称に一対の切り欠きを形成した一対の筒壁片（５３）を垂下設し、該筒壁片（５３）の両端から、略接線方向に沿った放出口片（５４）を延出設した第３ケーシング（５１）と、該第３ケーシング（５１）の下側に組付けられる円板の中央に、液導入口（５９）を開設した第２案内板（５８）と、から構成した請求項１、２、３または４記載の液体と気体との撹拌混合装置。
【請求項８】
ベース板（１０）と、被処理液を収納したタンクの頂壁との間に、パッキン（１８）を設けた請求項４記載の液体と気体との撹拌混合装置。
【発明の詳細な説明】
【０００１】
【発明の属する技術分野】
本発明は、液体中に空気等の気体を効率良く、かつ大量に溶け込ませるようにした、液体と気体との撹拌混合装置に関するものである。
【０００２】
【従来の技術】
液体と気体との撹拌混合装置の従来技術の一つである特開２０００−５５８３号公報に開示された技術は、液体に浸漬され且つガスと連通したハウジングと、このハウジング内を減圧する回転起流体とを備え、ハウジングが、液体を導入する液体導入口と、ガス及び液体を放出する気液放出口とを有し、この気液放出口が回転起流体による流れに抗する位置に穿設された構成となっている。
【０００３】
この従来技術にあっては、回転起流体の回転によりハウジング内が減圧されて陰圧領域を形成するので、ガス及び液体はハウジング内に吸引され、次いで、吸引されたガスと液体は回転起流体により混合され、ハウジングに設けられた気液放出口を介して溶液中に分散・放出され、これによって、溶液中へのガスの溶存が行われる。
【０００４】
この際、回転起流体は、ガスと液体とを撹拌混合すると同時に、このガスと液体との混合物をハウジング外に放出する働きをする。
【０００５】
【発明が解決しようとする課題】
しかしながら、上記した従来技術にあっては、回転起流体により、ガスと液体とを混合すると共に、この混合物を液体中に分散・放出するので、ガスと液体との混合を充分に行うと、この混合物の放出力が不足しがちとなり、反対に混合物の放出力を大きくすると、ガスと液体とを充分に混合させることができなくなる、と云う問題があった。
【０００６】
また、回転起流体は、圧縮性物である混合物を、非圧縮性物である液体中に放出するので、例え混合物に大きな放出力を与えたとしても、放出に対する液体の抵抗が極めて大きく、このため混合物を液中の遠方まで届かせることができない、と云う問題があった。
【０００７】
そこで、本発明は、上記した従来技術における問題点を解消すべく創案されたもので、気体と液体とを効率良く撹拌混合すると共に、この気体と液体との混合物を液体中の遠方まで届くようにすることを技術的課題とし、もって気体の液体への効率の良い溶け込みを達成すると共に、この溶け込みを液体の広い範囲で達成することを目的とする。
【０００８】
【課題を解決するための手段】
上記技術的課題を解決する本発明の内、請求項１記載の発明の手段は、
上端部に気体を導入させ、液体中に下端を開放した直線筒状の撹拌筒を有すること、
この撹拌筒内に同軸心状に組付けられ、下端を撹拌筒内から突出させた、高速回転駆動される回転軸を有すること、
この回転軸の下端に固定され、平円板状の本体円板の上面に多数の撹拌羽根片と、下面に多数の放散羽根片とを、突設した羽根車を有すること、
この羽根車を、本体部分の筒壁部の内周面と、羽根車の本体円板の外周縁との間に隙間を形成させて、回転自在に収納組付けしてポンプ機能部を構成し、撹拌筒の下端に連通状態で固定され、下面中央に液導入口を開設すると共に、横方向に放出口を開口させたケーシング体を有すること、
にある。
【０００９】
この請求項１記載の発明にあっては、回転軸を高速回転させると、ケーシング体内の羽根車の撹拌羽根片の作用により、撹拌筒内の液体が吸引されてケーシングの放出口から放出されるが、撹拌筒内の液体の吸引放出により撹拌筒内の気体が撹拌羽根片に達する状態となると、撹拌筒内の液体の減少が停止したような状態となると共に、気体と液体との撹拌混合が行われる。
【００１０】
この撹拌羽根片による気体と液体との撹拌混合動作と同時に、ケーシング体内の羽根車の放散羽根片のポンプ作用により、液体が液導入口から吸い込まれ、放出口から勢い良く放出される。
【００１１】
撹拌羽根片により撹拌混合された気体と液体との混合物は、この放散羽根片のポンプ作用により勢い良く放出される液体流と合流して、放出口から液体中に放出される。
【００１２】
この混合物の放出動作時において、撹拌筒の下端部および撹拌羽根片側のケーシング体内の液体は、その全部が放出されることはなく、常に略一定した量の液体が位置しており、これにより混合物の生成が、途切れることなく、連続して達成される。
【００１３】
混合物の放出動作時において、撹拌羽根片側のケーシング体内の液体の全部が放出されることなく、常に気体との混合撹拌に充分な量の液体が存在するのは、ケーシング体内で、羽根車の放散羽根片により、放射方向に押出された液体の一部が、羽根車の本体円板の外周縁と、ケーシング体の本体部分の筒壁部の内周面との間に形成された隙間から、撹拌羽根片が位置する本体円板の上側に侵入してくるためと思われる。
【００１４】
液体と撹拌混合される気体としては、空気、酸素、窒素、炭酸ガス、さらにはオゾン等を挙げることができ、また液体としては、飲料用水、水生動物育成用池または水槽の水、家庭および工場排水等を挙げることができる。
【００１５】
請求項２記載の発明は、請求項１記載の発明の構成に、羽根車の撹拌羽根片と放散羽根片とを、渦巻羽根状とした、ことを加えたものである。
【００１６】
この請求項２記載の発明にあっては、撹拌羽根片および放散羽根片共に渦巻羽根状であるので、羽根車の高速回転動作が安定して安全に得ることができ、またこのように羽根車を無理なく高速回転させることができるので、気体と液体との撹拌混合を効率良くかつ充分に行うことができると共に、液体を充分に勢い良く放出することができる。
【００１７】
請求項３記載の発明は、請求項１または２記載の発明の構成に、撹拌筒の下端に位置する回転軸の下端部箇所に、撹拌筒内の流体を下方に送る複数の羽根片を有する撹拌羽根を取付けた、ことを加えたものである。
【００１８】
この請求項３記載の発明にあっては、気体と液体とを、羽根車の撹拌羽根片と撹拌羽根とで撹拌混合するので、生成される気泡が細かくなると共に、気体に対する撹拌羽根の送り込み作用分だけ、放出される混合物の量が多くなる。
【００１９】
請求項４記載の発明は、請求項１、２または３記載の発明の構成に、装置の取付けベースとなるベース板上に、回転駆動源であるモータを倒立姿勢で固定し、ベース板を突き抜けて垂直に延出したモータのモータ軸を回転軸とした、ことを加えたものである。
【００２０】
この請求項４記載の発明にあっては、回転駆動源であるモータのモータ軸をそのまま回転軸としたので、回転軸と駆動源との機械的な結合構造が全く不要となり、その分、構造および取扱いが簡単になると共に、回転軸の安定した高速回転動作を確実に得ることができる。
【００２１】
請求項５記載の発明は、請求項１、２、３または４記載の発明の構成に、ケーシング体を、短円筒状の筒壁の上端に、開口縁に撹拌筒の下端が嵌合する嵌合段部を形成した、内鍔状の頂壁を連設した本体部の筒壁に、接線方向に突出した一つの放出口筒を設けた第１ケーシングと、この第１ケーシングの下面開放部を塞いで組付き、中央に液導入口を開設した第１案内板と、から構成した、ことを加えたものである。
【００２２】
この請求項５記載の発明にあっては、羽根車を組付け収納する部分と、撹拌筒との組付き部分とを、一つの部品である第１ケーシングで構成したので、その分、ケーシング体の構造が簡単となり、また接線方向に突出した一つの放出口筒で放出口を形成したので、遠心力を有効に利用して、液体および気体と液体との撹拌混合物を一つの方向に強力に放出する。
【００２３】
請求項６記載の発明の手段は、請求項１、２、３または４記載の発明の構成に、ケーシング体を、中央に撹拌筒の下端が嵌合する段付き中央孔を開設した取付け板と、短円筒状の筒壁の上端に、取付け板の段付き中央孔に嵌入する、内鍔状の頂壁部を連設した本体部の筒壁に、接線方向に突出した一つの放出口筒を設けた第２ケーシングと、この第２ケーシングの下面開放部を塞いで組付き、中央に液導入口を開設した第１案内板と、から構成した、ことを加えたものである。
【００２４】
この請求項６記載の発明にあっては、撹拌筒側への組付き部分として専用の取付け板を有するので、ケーシング体の本体部分である、第２ケーシングと第１案内板との組合せ物も装置からの着脱が容易となる。
【００２５】
請求項７記載の発明は、請求項１、２、３または４記載の発明の構成に、ケーシング体を、中央の開口縁に撹拌筒の下端が嵌合する嵌合段部を設けた天板の下面に、軸対象に一対の切り欠きを形成した一対の筒壁片を垂下設し、この筒壁片の両端から、略接線方向に沿った放出口片を延出設した第３ケーシングと、この第３ケーシングの下側に組付けられる円板の中央に、液導入口を開設した第２案内板と、から構成した、ことを加えたものである。
【００２６】
この請求項７記載の発明にあっては、二つの放出口が互いに反対側に開口形成されるので、液体および気体と液体との撹拌混合物を、左右両側に等分に放出することになる。
【００２７】
請求項８記載の発明は、請求項４記載の発明の構成に、ベース板と、被処理液を収納したタンクの頂壁との間に、パッキンを設けた、ことを加えたものである。
【００２８】
この請求項８記載の発明にあっては、タンク内の気体、例えば被処理液の処理のために被処理液中に、本発明の撹拌混合装置により放出されたオゾン等の気体が、本発明の撹拌混合装置を取付けたタンクの頂壁部分から、タンク外に漏れ出るのを防止する。
【００２９】
【発明の実施の形態】
以下、本発明の好ましい実施例を、図面を参照しながら説明する。
図１ないし図１４は、本発明の第一実施例の構成を示すもので、本発明装置の取付けベースとなるベース板１０の上面に、駆動源としてのモータ１を倒立姿勢で取付け、ベース板１０の下面に、モータ１のモータ軸４をそのまま回転軸１９として、撹拌筒２０と羽根車２３とケーシング体Ｋとの組合せ物を組付けて構成されている。
【００３０】
モータ１は、そのケース２の上側端面から突出したモータ軸４の上端に冷却ファン７を取付け、この冷却ファン７の周りにカバー８を取付けて冷却ファン７を保護しており、ケース２内の上下の軸受５、５の直ぐ外側には、外気、特に湿気のケース２内への侵入を阻止するオイルシール６が設けられており、そしてケース２の下側端面に、モータ１を倒立支持するための脚片３を垂下状に突設している。
【００３１】
下側のオイルシール６の直ぐ下のモータ軸４箇所には、水切り板９が設けられており、モータ軸４の高速回転動作に伴って、液体（主に水）がモータ軸４を登り上がってモータ１内に侵入するのを防止している。
【００３２】
本発明装置における回転軸１９すなわちモータ軸４は、このモータ１における上下２箇所の軸受５で支持されているだけであるので、この両軸受５による回転軸１９の支持が安定して強固に達成できるように、詳しくは図２３に示されているように、通常のモータに比べて、回転子のモータ軸４に沿った長さに対比して、両軸受５、５の間隔がきわめて大きくなっており、これにより回転軸１９の安定した支持を達成し、またモータ軸４すなわち回転軸１９は、通常のモータ軸に比べて大きな太さを有しており、これにより下端部に揺れの発生しない充分な強靭さを発揮するようにしている。
【００３３】
ベース板１０（図２参照）は、円板の中央に回転軸１９が通り抜ける軸孔１４を開設し、この軸孔１４の周囲の上面箇所に、四つの台片１１を等中心角毎に突設し、円板の周端部分に、四つのスタッドボルト孔１５を等中心角毎に開設し、ベース板１０に対するモータ１およびスタッドボルト２２の組付けに支障のない箇所に、導気管孔１７を開設し、そして円板の下面の軸孔１４の開口縁部に、短円筒状の嵌合筒片１２を垂下設して構成されている。
【００３４】
モータ１は、その脚片３を台片１１上に載せた状態でベース板１０上に搭載されるが、このようにしてベース板１０に搭載されたモータ１は、各台片１１に開設された取付け孔１６を利用して、脚片３部分でベース板１０にネジ止め固定され、また嵌合筒片１２内には、軸孔１４に挿通された回転軸１９に密接するオイルシール１３が組付けられている。
【００３５】
ベース板１０の下面に組付けられたパッキン１８は、図３に示すように、ベース板１０の各孔に対向する箇所に孔を開設した、シリコンゴム等の高いシール機能を発揮する材料製のシート状円板であり、被処理液を収納したタンクのタンク頂壁６１上面に密接して、本発明装置を取付けるべく、タンク頂壁６１に開設した開口部から処理用の気体が漏れ出るのを防止する。
【００３６】
回転軸１９を挿通位置させて気体の供給路を形成する撹拌筒２０（図４参照）は、上端の段付き開口部を、嵌合筒片１２に外嵌させてベース板１０に組付く直線円筒状の本体部分の上端部に、屈曲して導気管孔１７からベース板１０上に延出する導気管２１とから構成されており、この導気管２１は、液体と撹拌混合させる気体の供給源に接続されている。
【００３７】
この撹拌筒２０の下端に、連通状態で結合されるケーシング体Ｋは、（以下、図５ないし図８参照）短円筒状の筒壁部分の上端に、内鍔状の頂壁を連設して本体部２８を構成し、この頂壁の中央に開口している開口部に、撹拌筒２０の下端が嵌合する嵌合段部３２を形成し、本体部２８の下端に取付けフランジ３１を設け、本体部２８の筒壁部分の一部に、この筒壁部分の接線方向に延びる放出口筒２９を設け、そして本体部２８の上端部に、四つの取付けボス３０を、等中心角毎に膨出状に設けた第１ケーシング２７と、この第１ケーシング２７の取付けフランジ３１に、組付き段部３５で嵌り込み状に組付いてネジ止めされることにより、第１ケーシング２７の下面開放部を塞いで組付き、中央に液導入口３４を開設したリング板状の第１案内板３３とから構成されている。
【００３８】
第１ケーシング２７は、上端部をベース板１０のスタッドボルト孔１５に螺合させてネジ止めしたスタッドボルト２２（図１１参照）の下端部を、取付けボス３０のネジ孔にネジ止めすることにより、撹拌筒２０に対する組付きを確保している。
【００３９】
撹拌筒２０内からケーシング体Ｋ内に突出した回転軸１９の先端（下端）に不動に取付けられる羽根車２３（図１２、図１３、図１４参照）は、外周端縁と、第１ケーシング２７の筒壁部分の内周面との間に、隙間を形成する径を有する、平円板状をした本体円板２４の上面に撹拌羽根片２５を、そして下面に放散羽根片２６をそれぞれ設けて構成され、撹拌羽根片２５および放散羽根片２６は、共に渦巻羽根状構造となっているが、各撹拌羽根片２５の長さは各放散羽根片２６の長さよりも短く、その分、発揮されるポンプ作用力は、撹拌羽根片２５側の方が弱くなっている。
【００４０】
これは、羽根車２３の撹拌羽根片２５側は、気体と液体との混合物に対してポンプ作用を働かせると同時に、この気体と液体とを撹拌混合する必要があるからである。
【００４１】
すなわち、羽根車２３の撹拌羽根片２５側のポンプ作用を強くすると、気体と液体とを、充分に撹拌混合させない内に、この気体と液体との混合物を放出させてしまい、この結果、充分に小さい気泡の生成が不可能となり、このため液体に対する気体の溶け込みを効率良く達成することができなくなるので、ポンプ作用力を弱くし、これによって撹拌混合力を高めるようにしているのである。
【００４２】
第１ケーシング２７は、放出口筒２９を一つだけ有しているので、気体と液体との混合物は、設定した一定の方向にだけ放出されることになり、それゆえ放出方向を適正に設定することにより、タンク内の液体とか、溜池の水に回流を発生させることが可能となり、これにより液体全体に対する気体の溶け込みを、均等にかつ効率良く達成できることになる。
【００４３】
図１５ないし図１７は、本発明装置の第２の実施例を示すもので、第１の実施例に撹拌羽根３６を加えたものである。
【００４４】
すなわち、羽根車２３の直ぐ上となる回転軸１９の箇所に、短円筒状をしたリング本体３７の外周面に、複数（実施例では、３つ）の螺旋羽根状の羽根片３８を等間隔に設けた撹拌羽根３６を、固定ネジ４０で不動に取付けている。
【００４５】
この撹拌羽根３６は、気体と液体とを混合させると共に、この気体と液体との混合物を羽根車２３に送る働きをするが、撹拌羽根３６が位置する箇所は、液体が波打ち状に位置するだけであるので、大きな送り出し力を発揮することはなく、主に気体と液体との撹拌混合作用を発揮し、充分に細かい気泡を生成するが、この充分に細かい気泡を生成するのに、羽根片３８の鋭い羽根エッジ３９が有効に作用する。
【００４６】
図１８ないし図２２は、本発明の第３の実施例を示すもので、第２の実施例のケーシング体Ｋを、第２ケーシング４１と、取付け板４７と、第１案内板３３とで構成したものである。
【００４７】
取付け版４７（図２１、図２２参照）は、上側から撹拌筒２０の下端を嵌着組付けすると共に、下側から第２ケーシング４１の上端部を嵌め込み状に組付ける段付き中央孔４８を中央に設けた平リング円板状をした本体部に、スタッドボルト２２の下端をネジ止めする四つのボルト孔４９を等間隔に開設し、同様に第２ケーシング４１をネジ止めするための四つの組付け孔５０を等間隔に開設している。
【００４８】
第２ケーシング４１（図１９および図２０参照）は、頂壁部４３を除く、本体部４２と放出口筒４５と取付けフランジ４６との組合せ構造は、第１ケーシング２７の本体部２８と放出口筒２９と取付けフランジ３１との組合せ構造と全く同じで、第１ケーシング２７の取付けボス３０の代わりに、取付け板４７にネジ止めするための四つの取付け孔４４を等間隔に開設し、取付け板４７の段付き中央孔４８に嵌り込む頂壁部４３を形成している。
【００４９】
この第３の実施例の場合、ケーシング体Ｋを、撹拌筒２０に直接取付けるのではなく、取付け板４７を介して取付けるので、装置の主要機能部分であるケーシング体Ｋと羽根車２３との組合せ部分の着脱が容易となる。
【００５０】
図２３ないし図２８は、本発明の第４の実施例を示すもので、第２の実施例のケーシング体Ｋの構成を、第３ケーシング５１と第２案内板５８との組合せで構成したものとなっている。なお、スタッドボルト２２は三本となっている。
【００５１】
第３ケーシング５１（図２４ないし図２６参照）は、スタッドボルト２２の下端をネジ止めする三つの取付け孔５５を等間隔に開設し、中央の開口部に、撹拌筒２０の下端を嵌着させる嵌合段部５６を設けた平円板状の天板５２の下面に、短円筒体の、軸心に関して対称となった箇所に欠部を設けた形態となった筒壁片５３を垂下設し、この両筒壁片５３の両周方向端に、対向する放出口片と組合わさって略接線方向の放出通路を形成する放出口片をそれぞれ延出設し、また両筒壁片５３の下端面には、第２案内板５８を組付けるための組付け段部５７が形成されている。
【００５２】
第２案内板５８（図２７、図２８参照）は、中央に液導入口５９を開設し、スタッドボルト２２の下端をネジ止めするための三つの孔を等間隔に開設した平リング板体の上面に、第３ケーシング５１の組付け段部５７に係合する組付き段部６０を設けた構造となっている。
【００５３】
この第４の実施例の場合、導気管２１がベース板１０上に導き出されていないので、装置は、この導気管２１が常に液面Ｗ上に位置する条件で設置される。
【００５４】
この第４の実施例にあっては、気体と液体との撹拌混合物を、左右両方向に放出するので、この撹拌混合物を広い範囲に放出することが可能となる。
【００５５】
【発明の効果】
本発明は、上記した構成となっているので、以下に示す効果を奏する。
請求項１記載の発明にあっては、羽根車の上側で撹拌混合された気体と液体との混合物を、羽根車の下側から勢い良く放出される液体流と一緒に放出するので、この混合物を充分に遠方まで放出することができ、これにより広い範囲の液体内に気体を溶け込ませることが可能となる。
【００５６】
また、羽根車の上側への液体の供給は、羽根車とケーシング体との間に形成される隙間を通して羽根車の下側から行われるものとか、他の部分からの圧力差に伴う層流現象によるものとかの、制限されたものとなるので、羽根車の撹拌羽根片の近辺には常に気体と液体とを常に位置させることができ、これにより気体と液体との撹拌混合を、途切れることなく、連続して行うことができる。
【００５７】
請求項２記載の発明にあっては、羽根車の撹拌羽根片および放散羽根片を、共に渦巻羽根状としたので、羽根車の高速回転動作が安定して無理なく得ることができ、これにより気体と液体との撹拌混合と、勢いの良い液体の放出とを、効率良く強力に達成することができる。
【００５８】
請求項３記載の発明にあっては、気体と液体との撹拌混合を、より強力にかつ充分に行うので、より微細で多量の気泡が生成されることになる。
【００５９】
請求項４記載の発明にあっては、回転軸の高速回転が、きわめて安定して、かつ簡単な構成で得ることができる。
【００６０】
請求項５記載の発明にあっては、ケーシング体の構造が簡単となり、また気体と液体との撹拌混合物の放出方向を、接線方向に沿った一つの方向に特定したので、この撹拌混合物を強力に放出することができる。
【００６１】
請求項６記載の発明にあっては、ケーシング体を、撹拌筒に対する組付き専用部分を有する構成としたので、ケーシング体の着脱が容易となり、その分、装置のメンテナンスが容易となる。
【００６２】
請求項７記載の発明にあっては、気体と液体との撹拌混合物の放出方向を、左右両方向としたので、より広い範囲への撹拌混合物の放散が可能となる。
【００６３】
請求項８記載の発明にあっては、密閉したタンク内の液体の処理に際して、装置をタンクに密に組付けることができるので、処理に使用した気体、例えばオゾン等がタンク外に漏出するのを阻止することができ、これにより液体の処理を安全に達成することができる。
【図面の簡単な説明】
【図１】本発明の第１の実施例の、不規則半縦断した全体正面図。
【図２】図１に示した実施例に使用したベース板の、平面図。
【図３】図１に示した実施例に使用したパッキンの、平面図。
【図４】図１に示した実施例に使用した撹拌筒の、半縦断した正面図。
【図５】図１に示した実施例に使用した第１ケーシングの、平面図。
【図６】図１に示した実施例に使用した第１ケーシングの、底面図。
【図７】図１に示した実施例に使用した第１ケーシングの、縦断面図。
【図８】図１に示した実施例に使用した第１ケーシングの、平断底面図。
【図９】図１に示した実施例に使用した第１案内板の、平面図。
【図１０】図１に示した実施例に使用した第１案内板の、縦断面図。
【図１１】図１に示した実施例に使用したスタッドボルトの、正面図。
【図１２】図１に示した実施例に使用した羽根車の、平面図。
【図１３】図１に示した実施例に使用した羽根車の、底面図。
【図１４】図１に示した実施例に使用した羽根車の、不規則縦断面図。
【図１５】本発明の第２の実施例を示す、一部破断した正面図。
【図１６】図１５に示した実施例に使用した撹拌羽根の、平面図。
【図１７】図１５に示した実施例に使用した撹拌羽根の、側面図。
【図１８】本発明の第３の実施例を示す、一部破断した正面図。
【図１９】図１８に示した実施例に使用した第２ケーシングの、平面図。
【図２０】図１８に示した実施例に使用した第２ケーシングの、縦断面図。
【図２１】図１８に示した実施例に使用した取付け板の、平面図。
【図２２】図１８に示した実施例に使用した取付け板の、縦断面図。
【図２３】本発明の第４の実施例を示す、不規則半縦断した正面図。
【図２４】図２３に示した実施例に使用した第３ケーシングの、平面図。
【図２５】図２３に示した実施例に使用した第３ケーシングの、底面図。
【図２６】図２３に示した実施例に使用した第３ケーシングの、縦断面図。
【図２７】図２３に示した実施例に使用した第２案内板の、平面図。
【図２８】図２３に示した実施例に使用した第２案内板の、縦断面図。
【符号の説明】
１　；　モータ
２　；　ケース
３　；　脚片
４　；　モータ軸
５　；　軸受
６　；　オイルシール
７　；　冷却ファン
８　；　カバー
９　；　水切り板
１０；　ベース板
１１；　台片
１２；　嵌合筒片
１３；　オイルシール
１４；　軸孔
１５；　スタッドボルト孔
１６；　取付け孔
１７；　導気管孔
１８；　パッキン
１９；　回転軸
２０；　撹拌筒
２１；　導気管
２２；　スタッドボルト
２３；　羽根車
２４；　本体円板
２５；　撹拌羽根片
２６；　放散羽根片
Ｋ　；　ケーシング体
２７；　第１ケーシング
２８；　本体部
２９；　放出口筒
３０；　取付けボス
３１；　取付けフランジ
３２；　嵌合段部
３３；　第１案内板
３４；　液導入口
３５；　組付き段部
３６；　撹拌羽根
３７；　リング本体
３８；　羽根片
３９；　羽根エッジ
４０；　固定ネジ
４１；　第２ケーシング
４２；　本体部
４３；　頂壁部
４４；　取付け孔
４５；　放出口筒
４６；　取付けフランジ
４７；　取付け板
４８；　段付き中央孔
４９；　ボルト孔
５０；　組付け孔
５１；　第３ケーシング
５２；　天板
５３；　筒壁片
５４；　放出口片
５５；　取付け孔
５６；　嵌合段部
５７；　組付け段部
５８；　第２案内板
５９；　液導入口
６０；　組付き段部
６１；　タンク頂壁
Ｗ　；　液面
【図１】
2004073953.tif 000003
【図２】
2004073953.tif 000004
【図３】
2004073953.tif 000005
【図４】
2004073953.tif 000006
【図５】
2004073953.tif 000007
【図６】
2004073953.tif 000008
【図７】
2004073953.tif 000009
【図８】
2004073953.tif 000010
【図９】
2004073953.tif 000011
【図１０】
2004073953.tif 000012
【図１１】
2004073953.tif 000013
【図１２】
2004073953.tif 000014
【図１３】
2004073953.tif 000015
【図１４】
2004073953.tif 000016
【図１５】
2004073953.tif 000017
【図１６】
2004073953.tif 000018
【図１７】
2004073953.tif 000019
【図１８】
2004073953.tif 000020
【図１９】
2004073953.tif 000021
【図２０】
2004073953.tif 000022
【図２１】
2004073953.tif 000023
【図２２】
2004073953.tif 000024
【図２３】
2004073953.tif 000025
【図２４】
2004073953.tif 000026
【図２５】
2004073953.tif 000027
【図２６】
2004073953.tif 000028
【図２７】
2004073953.tif 000029
【図２８】
2004073953.tif 000030